(57)【要約】【課題】  玄関ドアの開閉時における防犯機能を発揮させることができる出入口ドア防犯装置を提供する。【解決手段】  この発明に係る出入口ドア防犯装置は、玄関ドアに設けられ、玄関ドアの開閉の際に操作により入力される信号又は玄関ドアの開閉の際に予め登録された音響情報が検出されたことを示す信号を受け付ける入力受付部１と、これらの信号に基づいて玄関ドアの開閉時の周囲の異常状態の有無を判定し、異常状態の有無に応じて所定の動作を行わせるか否かを判定する動作判定部５と、玄関ドアに設けられ、異常状態が有るとの判定の結果により１又は複数の防犯上の動作を開始する動作開始部９とを備えたものである。【選択図】図１
2010140289.tif 000002
【特許請求の範囲】
【請求項１】
出入口ドアの開閉の際に操作により入力される信号又は出入口ドアの開閉の際に予め登録された音響情報が検出されたことを示す信号を受け付ける入力受付部と、
前記信号に基づいて出入口ドアの開閉時の周囲の異常状態の有無を判定し、異常状態の有無に応じて所定の動作を行わせるか否かを判定する動作判定部と、
異常状態が有るとの判定の結果に基づいて１又は複数の防犯上の動作を開始する動作開始部と
を備えた出入口ドア防犯装置。
【請求項２】
前記入力受付部は、出入口ドアの室内側に設けられ、前記出入口ドアの開閉の際に本装置を起動させるための起動スイッチであり、
前記動作開始部は、出入口ドアの室外側に設けられ、前記起動スイッチの操作により入力される信号に基づいて警告音を発生する警告音発生部を含むものである、請求項１に記載された出入口ドア防犯装置。
【請求項３】
前記入力受付部は、出入口ドアを開閉可能に支持するドア枠の室内側に設けられ、前記出入口ドアの開閉の際に本装置を起動させるための起動スイッチであり、
前記動作開始部は、出入口ドアを開閉可能に支持するドア枠の室外側に設けられ、前記起動スイッチの操作により入力される信号に基づいて警告音を発生する警告音発生部を含むものである、請求項１に記載された出入口ドア防犯装置。
【請求項４】
前記入力受付部は、出入口ドアを開閉可能に支持するドア枠と対向する出入口ドアの戸先側に設けられ、前記出入口ドアの開閉の際に本装置を起動させるための起動スイッチであり、
前記動作開始部は、前記入力受付部と共に又は他の位置に設けられ、前記起動スイッチの操作により入力される信号に基づいて警告音を発生する警告音発生部を含むものである、請求項１に記載された出入口ドア防犯装置。
【請求項５】
前記入力受付部は、さらに前記起動スイッチの操作による信号入力後に本装置の起動を解除させるための解除スイッチを設け、
前記警告音発生部は、前記起動スイッチによる本装置の起動後、前記解除スイッチによる本装置の起動の解除がない限り、警告音を発生するものである、請求項２又は３又は４に記載された出入口ドア防犯装置。
【請求項６】
前記入力受付部は、予め登録された音声を検出する音声検出部と、本装置の起動後に本装置の起動を解除させるための解除スイッチであり、
前記動作開始部は、前記予め登録された音声の検出に基づいて出入口ドアの周辺の映像を録画する録画部と、前記録画部の録画開始と同時に前記録画部の録画映像を表示する表示部と、前記予め登録された音声の検出後、前記解除スイッチによる本装置の起動の解除がない限り、警告音を発生する警告音発生部と、前記警告音の発生後、前記解除スイッチによる本装置の起動の解除がない限り、通信回線を介して本装置を管理する防犯管理センターへ通報する通報部を含むものである、請求項１に記載された出入口ドア防犯装置。
【請求項７】
前記音声検出部及び前記録画部は、出入口ドアの室内側に設けられ、
前記表示部は、出入口ドアの室外側に設けられる、請求項６に記載された出入口ドア防犯装置。
【発明の詳細な説明】
【技術分野】
【０００１】
本発明は、集合住宅等の玄関ドアに防犯機能をもたせるようにした出入口ドア防犯装置に関するものである。
【背景技術】
【０００２】
従来、集合住宅等の玄関ドアには、防犯のために屋内側から戸外を観察可能なドアスコープが設けられていた。このドアスコープは、戸外側に設けられる戸外レンズに半透過膜を形成して、屋内側から戸外を観察する場合には視認性を損なわず、戸外からは屋内が見えないようにするものである（特許文献１）。
【特許文献１】特開２００４−１９７３７５号公報
【発明の開示】
【発明が解決しようとする課題】
【０００３】
従来の集合住宅等の玄関ドアに設けられているドアスコープは、以上のように構成されているので、屋内側から戸外の様子や来訪者を確認することができる。しかし、昨今発生している事件のように玄関ドアの開閉時における居住者の出入りの際に侵入者が押し入った場合等に対処するためのものではないため、さらなる安全性の向上が望まれていた。
この発明は上述のような課題を解決するためになされたもので、玄関ドアの開閉時における防犯機能を発揮させることができる出入口ドア防犯装置を提供することを目的とする。
【課題を解決するための手段】
【０００４】
この発明に係る出入口ドア防犯装置は、出入口ドアの開閉の際に操作により入力される信号又は出入口ドアの開閉の際に予め登録された音響情報が検出されたことを示す信号を受け付ける入力受付部と、これらの信号に基づいて出入口ドアの開閉時の周囲の異常状態の有無を判定し、異常状態の有無に応じて所定の動作を行わせるか否かを判定する動作判定部と、異常状態が有るとの判定の結果に基づいて１又は複数の防犯上の動作を開始する動作開始部とを備えたものである。
【０００５】
これにより、出入口ドアの開閉の際に操作により入力される信号又は予め登録された音響情報が検出されたことを示す信号に基づいて出入口ドアの開閉時の周囲の異常状態の有無を判定し、この判定の結果により１又は複数の防犯上の動作を開始するので、出入口ドアの開閉時における防犯のための動作を実行させることができる。出入口ドアは、玄関、勝手口等、建物内に入る人が利用する出入口を開閉自在に覆う扉である。
【０００６】
また、この発明に係る出入口ドア防犯装置における入力受付部は、出入口ドアの室内側に設けられ、出入口ドアの開閉の際に本装置を起動させるための起動スイッチであり、動作開始部は、出入口ドアの室外側に設けられ、起動スイッチの操作により入力される信号に基づいて警告音を発生する警告音発生部を含むものであってもよい。
これにより、出入口ドアの室内側に設けられる起動スイッチの操作により、出入口ドアの開閉の際に本装置を起動させて、出入口ドアの室外側に設けられる警告音発生部から、起動スイッチの操作により入力される信号に基づいて警告音を発生させることができる。
【０００７】
また、この発明に係る出入口ドア防犯装置における入力受付部は、出入口ドアを開閉可能に支持するドア枠の室内側に設けられ、出入口ドアの開閉の際に本装置を起動させるための起動スイッチであり、動作開始部は、出入口ドアを開閉可能に支持するドア枠の室外側に設けられ、起動スイッチの操作により入力される信号に基づいて警告音を発生する警告音発生部を含むものであってもよい。
【０００８】
これにより、出入口ドアを開閉可能に支持するドア枠の室内側に設けられる起動スイッチの操作により、出入口ドアの開閉の際に本装置を起動させて、出入口ドアを開閉可能に支持するドア枠の室外側に設けられる警告音発生部から、起動スイッチの操作により入力される信号に基づいて警告音を発生させることができる。
【０００９】
また、この発明に係る出入口ドア防犯装置における入力受付部は、出入口ドアを開閉可能に支持するドア枠と対向する出入口ドアの戸先側に設けられ、出入口ドアの開閉の際に本装置を起動させるための起動スイッチであり、動作開始部は、入力受付部と共に又は他の位置に設けられ、起動スイッチの操作により入力される信号に基づいて警告音を発生する警告音発生部を含むものであってもよい。
【００１０】
これにより、出入口ドアを開閉可能に支持するドア枠と対向する出入口ドアの戸先側に設けられる起動スイッチの操作により、出入口ドアの開閉の際に本装置を起動させて、入力受付部と共に又は他の位置に設けられる警告音発生部から、起動スイッチの操作により入力される信号に基づいて警告音を発生させることができる。
【００１１】
また、この発明に係る出入口ドア防犯装置における入力受付部は、さらに起動スイッチの操作による信号入力後に本装置の起動を解除させるための解除スイッチを設け、警告音発生部は、起動スイッチによる本装置の起動後、解除スイッチによる本装置の起動の解除がない限り、警告音を発生するものであってもよい。
【００１２】
これにより、起動スイッチによる本装置の起動後、解除スイッチによる本装置の起動の解除がない限り、出入口ドアの開閉時における侵入者に対して警告音を発生させることができる。
【００１３】
また、この発明に係る出入口ドア防犯装置における入力受付部は、予め登録された音声を検出する音声検出部と、本装置の起動後に本装置の起動を解除させるための解除スイッチであり、動作開始部は、予め登録された音声の検出に基づいて出入口ドアの周辺の映像を録画する録画部と、録画部の録画開始と同時に録画部の録画映像を表示する表示部と、予め登録された音声の検出後、解除スイッチによる本装置の起動の解除がない限り、警告音を発生する警告音発生部と、警告音の発生後、解除スイッチによる本装置の起動の解除がない限り、通信回線を介して本装置を管理する防犯管理センターへ通報する通報部を含むものであってもよい。
ここで、防犯管理センターは、出入口ドア防犯装置の防犯状況を集中的に管理する。
【００１４】
これにより、予め登録された音声の検出と同時に出入口ドアの周辺を録画部で録画開始し、録画部の録画開始と同時に録画部の録画映像を表示するので、居住者が侵入者に襲われた際に予め登録された音声をトリガとして出入口ドアの周辺の映像を録画し、録画開始と同時に録画映像を表示することができる。
【００１５】
さらに、予め登録された音声の検出後、解除スイッチによる本装置の起動の解除がない限り、警告音を発生し、警告音の発生後、解除スイッチによる本装置の起動の解除がない限り、防犯管理センターへ通報することができる。
【００１６】
また、この発明に係る出入口ドア防犯装置における音声検出部及び録画部は、出入口ドアの室内側に設けられ、表示部は、出入口ドアの室外側に設けられてもよい。
これにより、出入口ドアの室内側に設けられる録画部の録画映像を、出入口ドアの室外側に設けられる表示部で表示することにより、出入口ドアの室内側の侵入者を出入口ドアの室外側に知らせることができる。
【発明の効果】
【００１７】
この発明によれば、出入口ドアの開閉の際に操作により入力される信号又は予め登録された音響情報が検出されたことを示す信号に基づいて出入口ドアの開閉時の周囲の異常状態の有無を判定し、異常状態が有るとの判定の結果に基づいて１又は複数の防犯上の動作を開始するので、出入口ドアの開閉時における防犯のための動作を実行させることができるという効果がある。
【発明を実施するための最良の形態】
【００１８】
以下、本発明を実施するための最良の形態について、図面を参照しながら具体的に説明する。
ここでは、マンション等の建物の玄関に設けられる玄関ドアに防犯装置を構成する各部が設けられる例を示す。最初に、玄関ドアに設けられる防犯装置の構成を示すブロック図について説明する。
図１は、本発明の実施の形態による玄関ドア防犯装置に適用される各部の構成を示すブロック図である。
この玄関ドア防犯装置は、入力受付部１と、動作判定部５と、動作開始部９とを備えている。入力受付部１は、玄関ドア２２（図２）の開閉の際に操作により入力される信号又は玄関ドアの開閉の際に予め登録された音響情報が検出されたことを示す信号を受け付けるように構成される。動作判定部５は、これらの信号に基づいて玄関ドアの開閉時の周囲の異常状態の有無を判定し、異常状態の有無に応じて所定の動作を行わせるか否かを判定するように構成される。動作開始部９は、異常状態が有るとの判定の結果に基づいて１又は複数の防犯上の動作を開始するように構成される。
ここで、玄関ドア２２の開閉の際の操作とは、居住者(ユーザ)が意図的に入力受付部１に対して入力を行うことをいう。
【００１９】
入力受付部１において、起動スイッチ２と、解除スイッチ３と、音声検出部４を示すが、入力受付部１は、以下に述べる各実施の形態に応じて、上記の起動スイッチ２及び解除スイッチ３、解除スイッチ３及び音声検出部４のいずれかを有するように構成される。各部の詳細は、各実施の形態において説明する。
【００２０】
動作判定部５は、制御部６と、判定部７と、メモリ８と、を有している。
制御部６は、入力受付部１からの玄関ドアの開閉の際に操作により入力される信号又は玄関ドアの開閉の際に予め登録された音響情報が検出されたことを示す信号に基づいて動作開始部９の動作を制御するように構成される。この制御部６は、例えば、制御を司るＣＰＵと、制御プログラム及び制御情報を記憶するＲＯＭ、ＲＡＭにより構成されている。
【００２１】
判定部７は、この信号に基づいて玄関ドアの開閉時の周囲の異常状態の有無を判定し、異常状態の有無に応じて所定の動作を行わせるか否かを判定するように構成される。
また、メモリ８は、検出される信号の情報や動作開始部の動作の情報を記憶するように構成される。
動作判定部５は、以下に述べる実施の形態において共通に用いられるが、制御部６のＲＯＭに記憶される制御プログラムは、以下に述べる実施の形態に応じて、異なる内容となる。
【００２２】
動作開始部９において、警告音発生部１０と、ビデオカメラ録画部１１と、表示部１２と、通報部１３とを示しているが、動作開始部９は、以下に述べる実施の形態に応じて、警告音発生部１０と、ビデオカメラ録画部１１と、表示部１２と、通報部１３のうちのいずれか一つ又は複数を含むように構成される。各部の詳細は、各実施の形態において説明する。
【００２３】
実施の形態１．
実施の形態１の玄関ドア防犯装置では、入力受付部１は起動スイッチ２と、解除スイッチ３とにより構成され、動作開始部９は警告音発生部１０により構成される。
起動スイッチ２は、玄関ドアの室内側に設けられ、玄関ドアの開閉の際に本装置を起動させるように構成される。解除スイッチ３は、起動スイッチの操作による信号入力後に本装置の起動を解除させるように構成される。
【００２４】
起動スイッチ２及び解除スイッチ３は、一対の接点の接合又は離隔による電圧の変化で玄関ドアの開閉信号を検出するように構成されるプッシュ式、一対の接点の接合又は離隔による抵抗値の変化で玄関ドアの開閉信号を検出するように構成されるタッチセンサ式、マグネットの検出部に対する近接又は離隔による磁界の変化で玄関ドアの開閉信号を検出するように構成されるマグネット式等どのようなタイプであってもよい。
警告音発生部１０は、玄関ドアの室外側に設けられ、動作判定部５の制御により起動スイッチ２の操作により入力される信号に基づいて警告音を発生するように構成される。警告音は、例えば、ブザー音、発振音、任意の音源から再生されるメッセージ音でもよい。
【００２５】
次に、上述のように構成される玄関ドアにおける玄関ドア防犯装置の各部の設置位置を説明する。この場合、玄関ドアは、通常、集合住宅や戸建住宅におけるものが対象となる。
図２は、実施の形態１の玄関ドア防犯装置の起動スイッチ２と警告音発生部１０の設置位置を示す図であり、図２（ａ）は玄関ドアの室外側概観図、図２（ｂ）は玄関ドアの室内側概観図、図２（ｃ）は玄関ドアの横断面を示す断面図である。
玄関ドア２２は、片開きで室外側に開くように一端が回動自在に支持され、その他端側にはドアノブ３２が設けられている。
玄関ドア２２の室外側の表面にはスリット２４が設けられ（図２（ａ））、このスリット２４に対応する位置の玄関ドア２２の内部には、警告音発生部１０の一部を構成するスピーカ２８が設けられている。このスピーカ２８は室外側に向けて音響を発生させることができる（図２（ｃ）。
玄関ドア２２の室内側の表面に起動スイッチ２の操作ボタン２６は操作面が突出するように設けられる（図２（ａ））。
起動スイッチ２の操作ボタン２６と、音響駆動用のアンプ２８aと、警告音発生部１０の音響出力用のスピーカ２８とは、玄関ドア２２の内部で配線３０を介して電気的に接続される（図２（ｃ））。この音響駆動用のアンプ２８a内には音響出力用の音源２８ｂが設けられる。
【００２６】
また、これと共に、玄関ドア２２を開閉可能に支持するドア枠２１の室外側の表面にはスリット２５が設けられ（図２（ａ））、このスリット２５に対応する位置のドア枠２１の内部から室外側に向けて警告音発生部１０の音響出力用のスピーカ２９が設けられる。
ドア枠２１の室内側の表面には、起動スイッチ２の操作ボタン２７が、その操作面が突出するように設けられる（図２（ｂ））。
起動スイッチ２の操作ボタン２７と、音響駆動用のアンプ２９aと、警告音発生部１０の音響出力用のスピーカ２９とは、ドア枠２１の内部で配線３１を介して電気的に接続される（図２（ｃ））。この音響駆動用のアンプ２９a内には音響出力用の音源２９ｂが設けられる。
【００２７】
上記のいずれの場合、警告音発生部１０の音響出力用のスピーカ２８、２９内に音響出力用の音源が設けられてもよいし、起動スイッチ２の操作ボタン２６、２７内に音響出力用の音源が設けられてもよい。
また、動作判定部５の設置位置は、特定されないが、起動スイッチ２の操作ボタン２６、２７と共に設置してもよい。また、解除スイッチ３の設置位置は、起動スイッチ２の操作ボタン２６、２７と共に設置してもよい。
【００２８】
玄関ドアの室内側の表面に設けられた操作ボタン２６と、ドア枠２１の室内側の表面に設けられた操作ボタン２７の設置位置は、同じ又は異なる高さの任意の位置とする。
例えば、玄関ドアの室内側の表面に設けられた操作ボタン２６の設置位置をドアノブ３２の高さ程度にした場合、これに対してドア枠２１の室内側の表面に設けられた操作ボタン２７の設置位置を比較的高い位置又は比較的低い位置にしてもよい。
【００２９】
図３は、実施の形態１の玄関ドア防犯装置の警告音発生部１０に対して起動スイッチ２を取替え可能に構成した例を示す断面図である。
玄関ドア２２の室外側の表面には、玄関ドア２２の内部から室外側に向けて警告音発生部１０の音響出力用のスピーカ２８が設けられる。
玄関ドア２２の室内側の表面には汎用信号入力用の入力端子４１が設けられる。
汎用信号入力用の入力端子４１と警告音発生部１０の音響出力用のスピーカ２８とは、玄関ドア２２の内部で配線４２を介して電気的に接続される。
汎用信号入力用の入力端子４１には、音響駆動用のアンプ４６が電気的に接続され、このアンプ４６と起動スイッチ２の図示しない出力端子が電気的に接続され、起動スイッチ２の操作ボタン４３がボックス４５から操作面を突出するように設けられる。この音響駆動用のアンプ４６内に音響出力用の音源４４が設けられる。
【００３０】
この場合、警告音発生部１０の音響出力用のスピーカ２８内に音響出力用の音源４４および音響駆動用のアンプ４６が設けられてもよいし、起動スイッチ２の操作ボタン４３内に音響出力用の音源４４および音響駆動用のアンプ４６が設けられてもよい。
また、動作判定部５の設置位置は、特定しないが、起動スイッチ２の操作ボタン４３と共に設置してもよい。また、解除スイッチ３の設置位置は、起動スイッチ２の操作ボタン４３と共に設置してもよい。
起動スイッチ２の操作ボタン４３内に音響出力用の音源４４と動作判定部５が設けられた場合、各種起動スイッチ２と任意の音響出力用の音源４４とが選択可能に構成される。
【００３１】
図４は、実施の形態１の玄関ドア防犯装置の起動スイッチ２の設置位置の例を示す図であり、図４（ａ）は玄関ドアの戸先側概観図、図４（ｂ）は図４（ａ）の玄関ドアの横断面を示す断面図、図４（ｃ）は他の玄関ドアの横断面を示す断面図である。
起動スイッチは、玄関ドア２２を開閉可能に支持するドア枠２１と対向する玄関ドア２２の戸先５１側に設けられる（図４（ａ））。
玄関ドア２２の戸先５１側の表面にはスリット５２が設けられ、このスリット５２に対応する位置の玄関ドア２２の内部から戸先５１側に向けて起動スイッチ２の操作ボタン５３が設けられる（図４（ａ）、（図４（ｂ））。
【００３２】
また、玄関ドア２２の室内側の戸先５１周辺であって戸先５１から５センチメートル程度の表面にはスリット５４が設けられ、このスリット５４に対応する位置の玄関ドア２２の内部から室内側に向けて起動スイッチ２の操作ボタン５５が設けられる（図４（ｃ））。
この場合、警告音発生部１０の音響出力用のスピーカ２８の設置位置は、図３に示したように玄関ドア２２の室外側の表面に設けられてもよいし、起動スイッチ２の操作ボタン５３と共に玄関ドア２２の戸先５１側に設けられてもよい。
また、動作判定部５の設置位置は、特定しないが、起動スイッチ２の操作ボタン５３と共に玄関ドア２２の戸先５１側に設置してもよい。また、解除スイッチ３の設置位置は、起動スイッチ２の操作ボタン５３と共に玄関ドア２２の戸先５１側に設置してもよい。
【００３３】
次に動作について説明する。
図５は、実施の形態１の玄関ドア防犯装置の動作を示すフローチャートである。
図５は、動作判定部５の制御プログラムに基づく制御部６の動作を示している。
まず、動作判定部５の制御部６は、起動スイッチ２からの入力があると制御プログラムを立ち上げて起動スイッチ２がオンになったか否かを判断する（ステップＳ１）。
【００３４】
判断ステップＳ１で、起動スイッチ２がオンになったとき、動作判定部５の制御部６は、セキュリティシステムを起動する（ステップＳ２）。
次に、動作判定部５の制御部６は、警告音発生部１０に警告音の発生を開始させる（ステップＳ３）。
ここで、動作判定部５の制御部６は、解除スイッチ３がオンになったか否かを判断する（ステップＳ４）。
【００３５】
判断ステップＳ４で、解除スイッチ３がオンでないとき、動作判定部５の制御部６は、ステップＳ３に戻って、解除スイッチ３がオンになるまで警告音発生部１０に警告音の発生を続行させる。
判断ステップＳ４で、解除スイッチ３がオンになったとき、動作判定部５の制御部６は、警告音発生部１０に警告音の発生を終了させる（ステップＳ５）。
そして、動作判定部５の制御部６は、制御プログラムに従ってセキュリティシステムを終了する（ステップＳ６）。
【００３６】
以上のように、実施の形態１によれば、入力受付部１は、玄関ドア２２の室内側に設けられ、玄関ドア２２の開閉の際に本装置を起動させるための起動スイッチ２であり、動作開始部は、玄関ドア２２の室外側に設けられ、起動スイッチ２の操作により入力される信号に基づいて警告音を発生する警告音発生部１０を含むので、玄関ドア２２の室内側に設けられる起動スイッチ２の操作により、玄関ドア２２の開閉の際に本装置を起動させて、玄関ドア２２の室外側に設けられる警告音発生部１０から、起動スイッチ２の操作により入力される信号に基づいて警告音を発生させることができるという効果が得られる。
【００３７】
また、入力受付部１は、玄関ドア２２を開閉可能に支持するドア枠２１の室内側に設けられ、玄関ドア２２の開閉の際に本装置を起動させるための起動スイッチ２であり、動作開始部９は、玄関ドア２２を開閉可能に支持するドア枠２１の室外側に設けられ、起動スイッチ２の操作により入力される信号に基づいて警告音を発生する警告音発生部１０を含むので、玄関ドア２２を開閉可能に支持するドア枠２１の室内側に設けられる起動スイッチ２の操作により、玄関ドア２２の開閉の際に本装置を起動させて、玄関ドア２２を開閉可能に支持するドア枠２１の室外側に設けられる警告音発生部１０から、起動スイッチ２の操作により入力される信号に基づいて警告音を発生させることができるという効果が得られる。
【００３８】
また、入力受付部１は、玄関ドア２２を開閉可能に支持するドア枠２１と対向する玄関ドアの戸先５１側に設けられ、玄関ドア２２の開閉の際に本装置を起動させるための起動スイッチ２であり、動作開始部９は、入力受付部１と共に又は他の位置に設けられ、起動スイッチ２の操作により入力される信号に基づいて警告音を発生する警告音発生部１０を含むので、玄関ドア２２を開閉可能に支持するドア枠２１と対向する玄関ドア２２の戸先５１側に設けられる起動スイッチ２の操作により、玄関ドアの開閉の際に本装置を起動させて、入力受付部１と共に又は他の位置に設けられる警告音発生部１０から、起動スイッチ２の操作により入力される信号に基づいて警告音を発生させることができるという効果が得られる。
【００３９】
また、入力受付部は、さらに起動スイッチ２の操作による信号入力後に本装置の起動を解除させるための解除スイッチ３を設け、警告音発生部１０は、起動スイッチ２による本装置の起動後、解除スイッチ３による本装置の起動の解除がない限り、警告音を発生するので、起動スイッチ２による本装置の起動後、解除スイッチ３による本装置の起動の解除がない限り、玄関ドア２２の開閉時における侵入者に対して警告音を発生させることができるという効果が得られる。
【００４０】
実施の形態２．
実施の形態２においては、入力受付部１は音声検出部４及び解除スイッチ３により構成され、動作開始部５は警告音発生部１０、ビデオカメラ録画部１１、表示部１２及び通報部１３により構成されるようにした点が実施の形態１と異なる。それ以外は実施の形態１と同様であり、以下においては主に第1の実施形態とは異なる点について説明する。
実施の形態２の玄関ドア防犯装置では、音声検出部４は、予め登録された音声を検出するように構成される。音声検出部４により予め登録された音声が検出されると、動作開始部５は本装置を起動させるように構成される。
【００４１】
ビデオカメラ録画部１１は、動作判定部５の制御により予め登録された音声の検出に基づいて玄関ドアの周辺の映像を録画するように構成される。
表示部１２は、動作判定部５の制御によりビデオカメラ録画部１１の録画開始と同時にビデオカメラ録画部１１の録画映像を表示するように構成される。
警告音発生部１０は、動作判定部５の制御により予め登録された音声の検出後、解除スイッチによる本装置の起動の解除がない限り、警告音を発生するように構成される。
通報部１３は、動作判定部８の制御により警告音の発生後、解除スイッチによる本装置の起動の解除がない限り、通信回線を介して本装置を管理する防犯管理センターへ通報するように構成される。
【００４２】
図６は、実施の形態２の玄関ドア防犯装置の音声検出部４、動作判定部５、ビデオカメラ録画部１１及び表示部１２の設置位置を示す図であり、図６（ａ）は玄関ドアの室内側概観図、図６（ｂ）は玄関ドアの室外側概観図、図６（ｃ）は玄関ドアの横断面を示す断面図である。
音声検出部４のマイクロホン６１及びビデオカメラ録画部１１のカメラ６２は、玄関ドア２２の室内側の表面に設けられる（図６（ｂ））。音声検出部４のマイクロホン６１以外の本体及びビデオカメラ録画部１１のカメラ６２以外の記録部６３は玄関ドア内部に収納される（図６（ｂ））。
音声検出部４は、予め居住者が特定の言語を発声した音声を記録部６３に登録しておき、マイクロホン６１を介して集音した音声が予め登録された音声と一致するか否かを検出し、予め登録された音声と一致する音声の検出時に検出信号を出力するように構成される。
【００４３】
ビデオカメラ録画部１１は、動作判定部５の制御ボックス６４の制御により予め登録された音声の検出に基づいてカメラ６２を介して玄関ドア２２の室内側の周辺の映像を録画して、記録部６３に保存するように構成される。
動作判定部５は、音声検出部４の本体及びビデオカメラ録画部１１の記録部６３と共に玄関ドア２２内部に収納される。玄関ドア２２内部において音声検出部４のマイクロホン６１と、ビデオカメラ録画部１１のカメラ６２と、ビデオカメラ録画部１１の記録部６３と、動作判定部５の制御ボックス６４（音声検出部４の本体を含む）とが点線で示す配線を介してそれぞれ電気的に接続されている（図６（ｂ））。また、玄関ドア２２内部において動作判定部５の制御ボックス６４には、玄関ドア２２外から電源電圧を供給するための端子６５が点線で示す配線を介して電気的に接続されている（（図６（ｂ）））。端子６５には、例えば、電子錠用の電源電圧や、乾電池の電源電圧などが供給される。
【００４４】
表示部１２は、玄関ドアの室外側の表面に設けられる（図６（ａ））。表示部１２は、ビデオカメラ録画部１１のカメラ６２の位置の背面側の位置に設けられる（図６（ａ）、（図６（ｃ））。
解除スイッチ３の設置位置は、特定せず、室内側の玄関ドア２２の表面、又は玄関ドア２２の周辺の位置でよい。
【００４５】
次に動作について説明する。
図７は、実施の形態２の玄関ドア防犯装置の動作を示すフローチャートである。
図７は、動作判定部５の制御プログラムに基づく制御部６の動作を示している。
まず、動作判定部６の制御部６は、音声検出部４からの入力があると制御プログラムを立ち上げて予め登録された音声が検出されたか否かを判断する（ステップＳ１１）。
【００４６】
判断ステップＳ１１で、予め登録された音声が検出されたとき、動作判定部５の制御部６は、セキュリティシステムを起動する（ステップＳ１２）。
動作判定部５の制御部６は、ビデオカメラ録画部１１に録画を開始させる（ステップＳ１３）。
ここで、動作判定部５の制御部６は、ビデオカメラ録画部１１の録画開始と同時に表示部１２にビデオカメラ録画部１１の録画映像を表示させる（ステップＳ１４）。
【００４７】
動作判定部５の制御部６は、解除スイッチ３がオンになったか否かを判断する（ステップＳ１５）。
判断ステップＳ１５で、解除スイッチ３がオンでないとき、動作判定部５の制御部６は、警告音発生部１０に警告音を発生させる（ステップＳ１６）。
ここで、動作判定部５の制御部６は、再度、解除確認スイッチ３がオンになったか否かを判断する（ステップＳ１７）。
【００４８】
判断ステップＳ１７で、解除スイッチ３がオンでないとき、動作判定部５の制御部６は、通報部に通信回線を介して防犯管理センターへ通報させる（ステップＳ１８）。
そして、動作判定部５の制御部６は、ステップＳ１８の通報の後と、判断ステップＳ１７で解除スイッチ３がオンのとき、ステップＳ１３の録画、ステップＳ１４の表示及びステップＳ１６の警告音の発生を終了させ（ステップＳ１９）、制御プログラムに従ってセキュリティシステムを終了する（ステップＳ２０）。
また、判断ステップＳ１４で、解除スイッチ３がオンのとき、ステップＳ１３の録画及びステップＳ１４の表示を終了させ（ステップＳ２１）、制御プログラムに従ってセキュリティシステムを終了する（ステップＳ２０）。
【００４９】
以上のように、実施の形態２によれば、入力受付部１は、予め登録された音声を検出する音声検出部４と、本装置の起動後に本装置の起動を解除させるための解除スイッチ３であり、動作開始部９は、予め登録された音声の検出に基づいて玄関ドア２２の周辺の映像を録画するビデオカメラ録画部１１と、ビデオカメラ録画部１１の録画開始と同時にビデオカメラ録画部１１の録画映像を表示する表示部１２と、予め登録された音声の検出後、解除スイッチ３による本装置の起動の解除がない限り、警告音を発生する警告音発生部１０と、警告音の発生後、解除スイッチ３による本装置の起動の解除がない限り、通信回線を介して本装置を管理する防犯管理センターへ通報する通報部１３を含むので、予め登録された音声の検出と同時に玄関ドア２２の周辺をビデオカメラ録画部１１で録画開始し、ビデオカメラ録画部１１の録画開始と同時にビデオカメラ録画部１１の録画映像を表示するので、居住者が侵入者に襲われた際に予め登録された音声をトリガとして玄関ドア２２の周辺の映像を録画し、録画開始と同時に録画映像を表示することができるという効果が得られる。
【００５０】
さらに、予め登録された音声の検出後、解除スイッチ３による本装置の起動の解除がない限り、警告音を発生し、警告音の発生後、解除スイッチ３による本装置の起動の解除がない限り、防犯管理センターへ通報することができる。
【００５１】
また、この発明に係る玄関ドア防犯装置における音声検出部４及びビデオカメラ録画部１１は、玄関ドア２２の室内側に設けられ、表示部１２は、玄関ドア２２の室外側に設けられるので、玄関ドア２２の室内側に設けられるビデオカメラ録画部１１の録画映像を、玄関ドア２２の室外側に設けられる表示部１２で表示することにより、玄関ドア２２の室内側の侵入者を玄関ドア２２の室外側に知らせることができる。
【００５２】
実施の形態３．
実施の形態３においては、実施の形態１における玄関ドア防犯装置に適用される玄関ドアの室外側に凸状の鏡面部を設けて構成されるようにした点が実施の形態１と異なる。それ以外は実施の形態１と同様であり、以下においては主に第１の実施形態とは異なる点について説明する。
外部から玄関ドア２２を開けるとき、居住者は玄関ドア２２の外部側に対向する方向を向くので背後又は周囲が見えなくなり、この範囲で死角ができてしまっていた。そこで、居住者が玄関ドア２２の外部側に対向する方向を向いていても背後又は周囲の状況が補助的に視覚で認識できるように以下に述べるように玄関ドアを構成した。
【００５３】
実施の形態３において、（１）玄関ドア２２は、ドア枠２１に設置された状態で外側に面する外側面、及び、外側面と反対側の内側面を有する玄関ドア本体７１と、玄関ドア本体７１の外側面に設けられ、鏡面部を有する凸状部７２とを備えるように構成される。
（２）凸状部７２は、（１）に記載された玄関ドア２２において、玄関ドア２２の長手方向又は短手方向に延び、玄関ドア２２の短手方向又は長手方向の断面において、湾曲された凸形状を有するように構成される。
（３）凸状部７２は、（１）または（２）に記載された玄関ドア２２において、玄関ドア２２の長手方向又は短手方向全体にわたって延びているように構成される。
（４）凸状部７２は、（１）〜（３）の何れか１つに記載された玄関ドア２２において、ステンレスからなるように構成される。
（５）凸状部７２は、（１）〜（４）の何れか１つに記載された玄関ドア２２において、玄関ドア２２の短手方向において、略中央に設けられ、凸状部７２の幅方向の長さは、玄関ドア２２の幅方向の長さの半分以上であるように構成される。
【００５４】
図８は、凸状の鏡面部の設置位置の例を示す図であり、図８（ａ）は玄関ドアの外部側概観図、図８（ｂ）は図８（ａ）の玄関ドアの横断面を示す断面図である。
この玄関ドア２２は、玄関ドア本体７１と凸状部７２とを備える。玄関ドア本体７１は、ドア枠２１に設置された状態で外側に面する外側面、及び、外側面と反対側の内側面を有する。凸状部７２は、玄関ドア本体７１の外側面に設けられる鏡面部を有する。
凸状部７２は、設けられる位置や大きさ、形状として、玄関ドア２２の上端から下端まで長手方向に延び、玄関ドア２２の右端から左端まで短手方向の断面において、湾曲された円弧状の凸形状を有する。
【００５５】
凸状部７２は、設けられる長さとして、玄関ドア２２の上端から下端まで長手方向全体にわたって延びているように構成される。
凸状部７２は、例えば、材料としてステンレスからなる化粧プレートで構成され、化粧プレートは玄関ドア２２の外側面に接着剤やネジ止めで固定される。
凸状部７２は、設けられる範囲として、玄関ドア２２の短手方向において、略中央に設けられ、凸状部７２の幅方向の長さは、玄関ドア２２の幅方向の長さの半分以上であるように構成される。
【００５６】
以上のように、実施の形態３によれば、玄関ドア２２は、ドア枠２１に設置された状態で外側に面する外側面、及び、外側面と反対側の内側面を有する玄関ドア本体７１と、玄関ドア本体７１の外側面に設けられ、鏡面部を有する凸状部７２とを備えるので、玄関ドア本体７１の外側面における凸状部７２の鏡面部において、玄関ドア２２の外部側の周囲の様子が反射して写し出されるので、居住者が玄関ドア２２の外部側に対向する方向を向いていても背後又は周囲の状況が分かるようになる玄関ドア２２を提供することができる。
【００５７】
また、凸状部７２は、玄関ドア２２の長手方向に延び、玄関ドア２２の短手方向の断面において、湾曲された凸形状を有するので、湾曲された凸形状の鏡面部において、玄関ドア２２の外部側の周囲の様子を広範囲にわたって反射して写し出すことができる。
また、凸状部７２は、玄関ドア２２の長手方向全体にわたって延びているので、凸形状の鏡面部において、玄関ドア２２の外部側の周囲の様子を玄関ドア２２の長手方向全体の範囲にわたって反射して写し出すことができる。よって、映し出される人の身長に対応する範囲に鏡面部を設ければ、身長全体の範囲を映し出すことができる。
【００５８】
また、凸状部７２は、ステンレス鋼板からなるので、凸状部７２の加工が簡単で、しかも、玄関ドア本体７１への取り付けも容易に行うことができる。
また、凸状部７２は、玄関ドア２２の短手方向において、略中央に設けられ、凸状部７２の幅方向の長さは、玄関ドア２２の幅方向の長さの半分以上であるので、玄関ドア２２の外部側の周囲の様子を凸状部７２の設けられる玄関ドア２２の幅方向の長さの半分以上の範囲において、反射して写し出すことができる。
【００５９】
変形例．
上述した凸状部７２は、設けられる位置や大きさ、形状として、玄関ドア２２の短手方向に延び、玄関ドア２２の長手方向の断面において、湾曲された円弧状の凸形状を有していてもよい。これにより、映し出される人の顔の位置に対応する範囲に鏡面部を設ければ、顔の範囲を映し出すことができる。また、凸状部７２は、玄関ドア２２の短手方向又は長手方向に延び、玄関ドア２２の長手方向又は短手方向の断面において、台形状の凸形状を有していてもよい。これにより、真後ろの範囲を中央部で映し出し、周囲を端部で映し出すことができる。また、凸状部７２は、玄関ドア２２の短手方向又は長手方向に延び、玄関ドア２２の長手方向又は短手方向の断面において、球状の凸形状を有していてもよい。これにより、比較的狭い範囲の鏡面部で比較的広い範囲を反射させることができる。
【００６０】
また、凸状部７２は、設けられる長さとして、玄関ドア２２の短手方向全体にわたって延びていてもよい。これにより、映し出される範囲を左右に広げて映し出すことができる。また、凸状部７２は、玄関ドア２２の長手方向に複数に分割されてもよい。これにより、映し出される範囲を複数分割して映し出すことができる。
また、凸状部７２は、ステンレス鋼板以外のスチール鋼板、アルミニウム板などの材料からなるように構成され、例えば、鏡やマジックミラーで構成してもよい。これにより、広範な材料で、簡易に鏡面部を構成することができる。
【００６１】
また、凸状部７２は、設けられる範囲や数として、玄関ドア２２の短手方向において、端部に設けられ、凸状部７２の幅方向の長さは、玄関ドア２２の幅方向の左右両端部から中央まで延びてもよい。これにより、玄関ドア２２の外部側の周囲の様子を凸状部７２の設けられる玄関ドア２２の幅方向の左右両端部から中央までの範囲において、反射して写し出すことができる。
【００６２】
本発明は前述した各実施形態に限定されるものではなく、本発明の要旨の範囲内で、各種の変形実施が可能である。
【図面の簡単な説明】
【００６３】
【図１】本発明の実施の形態による玄関ドア防犯装置に適用される各部の構成を示すブロック図である。
【図２】実施の形態１の玄関ドア防犯装置の起動スイッチと警告音発生部の設置位置を示す図であり、図２（ａ）は玄関ドアの室外側概観図、図２（ｂ）は玄関ドアの室内側概観図、図２（ｃ）は玄関ドアの横断面を示す断面図である。
【図３】実施の形態１の玄関ドア防犯装置の警告音発生部に対して起動スイッチを取替え可能に構成した例を示す断面図である。
【図４】実施の形態１の玄関ドア防犯装置の起動スイッチの設置位置の例を示す図であり、図４（ａ）は玄関ドアの戸先側概観図、図４（ｂ）は図４（ａ）の玄関ドアの横断面を示す断面図、図４（ｃ）は他の玄関ドアの横断面を示す断面図である。
【図５】実施の形態１の玄関ドア防犯装置の動作を示すフローチャートである。
【図６】実施の形態２の玄関ドア防犯装置の音声検出部、動作判定部、ビデオカメラ録画部及び表示部の設置位置を示す図であり、図６（ａ）は玄関ドアの室内側概観図、図６（ｂ）は玄関ドアの室外側概観図、図６（ｃ）は玄関ドアの横断面を示す断面図である。
【図７】実施の形態２の玄関ドア防犯装置の動作を示すフローチャートである。
【図８】実施の形態３の凸状の鏡面部の設置位置の例を示す図であり、図８（ａ）は玄関ドアの外部側概観図、図８（ｂ）は図８（ａ）の玄関ドアの横断面を示す断面図である。
【符号の説明】
【００６４】
１…入力受付部、２…起動スイッチ、３…解除スイッチ、４…音声検出部、５…動作判定部、６…制御部、７…判定部、８…メモリ、９…動作開始部、１０…警告音発生部、１１…ビデオカメラ録画部、１２…表示部、１３…通報部
【図１】
2010140289.tif 000003
【図２】
2010140289.tif 000004
【図３】
2010140289.tif 000005
【図４】
2010140289.tif 000006
【図５】
2010140289.tif 000007
【図６】
2010140289.tif 000008
【図７】
2010140289.tif 000009
【図８】
2010140289.tif 000010